(57)【特許請求の範囲】
【請求項１】
物品を固定する固定部材を、概略コの字型のケース本体の台座面に取付けることによってケース本体に物品を固定し、さらに平面形状が方形である枡形のカバー部材の１側面に開口を形成し、ケース本体に取付けることによって１面が開口した筐体を形成するとともに、この筐体の開口に蓋体を取付けた梱包ケースであって、
ケース本体は、方形の台座面と、該台座面周縁の対向する２辺から垂直に延びて互いが対峙するように設けられる左右の側板とから構成され、
ケース本体の台座面表面には左右の側板に平行な仕切が複数形成されるとともに、前記ケース本体の台座面は固定部材を取付けるため固定部材取付孔を備え、この固定部材取付孔に固定部材を嵌合することによって、物品を固定した固定部材が着脱自在にケース本体に取付けられ、
また前記ケース本体の側板でカバー部材の側面を左右から挟み込んで把持することによって、カバー部材がケース本体に着脱自在に取付けられ、
さらに前記ケース本体に取付けた平面形状が方形の枡形カバー部材は、４側面のうち１面に開口を形成してあり、このカバー部材をケース本体に取付けることによって１面が開口した筐体を形成し、この開口に蓋体を着脱自在に取付けたことを特徴とする梱包ケース。
【請求項２】
蓋体に吊下部を設け、吊下型の梱包ケースであることを特徴とした請求項１に記載の梱包ケース。
【請求項３】
ケース本体の台座面に装着具を取付けるための装着具取付孔を設けたことを特徴とする請求項１又は２に記載の梱包ケース。
【請求項４】
梱包ケースを構成するケース本体、カバー部材、蓋体，固定部材を樹脂材料で成形したことを特徴とする請求項１から３の何れか１項に記載の梱包ケース。
【請求項５】
前記カバー部材を透明な樹脂材料で成形したことを特徴とする請求項４に記載の梱包ケース。
【請求項６】
車用小型備品を梱包することを特徴とする請求項１から５の何れか１項に記載の梱包ケース。
【請求項７】
梱包ケースを構成する各構成部品を分解し、ケース本体の台座面を底面に配置することによって、ケース本体の側面と平行に設けた複数の仕切にＣＤケースを立掛け、ＣＤケース収納ラックとして利用することを特徴とする請求項１から６の何れか１項に記載の梱包ケース。
【請求項８】
ケース本体の台座面裏面に両面粘着テープを設け、設置面に固定したことを特徴とする請求項７に記載のＣＤケース収納ラック。
【請求項９】
梱包ケースを構成する各構成部品を分解し、ケース本体とカバー部材を組合せることによって１面が開口した筐体を形成するとともに、ケース本体の台座面の裏面に装着具を取付け、小物収納ケースとして利用することを特徴とする請求項２から６の何れか１項に記載の梱包ケース。
【請求項１０】
把持式の装着具を取付けることによって、車内エアコンの送風口に取付けることを特徴とする請求項９記載の小物収納ケース。
【請求項１１】
吸盤式の執着具を取付けることによって、車窓などの平面に取付けることを特徴とする請求項９記載の小物収納ケース。
【発明の詳細な説明】
【０００１】
【発明の属する技術分野】
この発明は、車用バルブなどの車用小型備品を梱包する梱包ケースに関するものであり、梱包ケースとして使用した後にＣＤケース収納ラックや小物収納ケースとして再利用可能な梱包ケースに関するものである。
【０００２】
【従来の技術】
車用バルブなどの車用小型備品（以下、物品Ａという）を販売するにあたって、これら物品Ａは梱包ケースの中に収納されて売場に陳列される。従って、物品Ａを梱包する梱包ケースとして、収納された物品Ａを保護するとともに、外側から物品Ａを確認でき、またケースの陳列が容易であるものが望まれる。
【０００３】
図１０は従来技術による梱包ケース１００の例を示すものであり、方形台板状のケース本体１０１の表面に物品Ａを固定し、カバー部材１０２で覆ったものである。
すなわち図１０に示す梱包ケース１００は、ケース本体１０１とカバー部材とから構成され、ケース本体１０１にカバー部材１０２を取付けて形成した筐体のなかに物品Ａを収納することによって物品Ａを保護するとともに、前記カバー部材１０２を透明な樹脂材料で成形することによって、梱包ケース１００のなかに収納されている物品Ａをケース外側から確認できるようになっている。またこの梱包ケース１００は、ケース本体１０１の上部に吊下部１０３を備える吊下型梱包ケースであって、陳列が容易である。
【０００４】
【発明が解決しようとする課題】
しかしながら従来技術による梱包ケース１００は、ケースのなかに収納されている物品Ａを取出し、梱包ケースとして使用した後は、捨てられるのが通常であった。本発明はこのような課題を解決するために成されたものであり、その目的とするところは、種々の形態で再利用可能な梱包ケースを提供することにある。
【０００５】
【課題を解決するための手段】
そこで、本発明の請求項１に記載の梱包ケースは、物品を固定する固定部材を、概略コの字型のケース本体の台座面に取付けることによってケース本体に物品を固定し、さらに平面形状が方形である枡形のカバー部材の１側面に開口を形成し、ケース本体に取付けることによって１面が開口した筐体を形成するとともに、この筐体の開口に蓋体を取付けた梱包ケースであって、ケース本体は、方形の台座面と、該台座面周縁の対向する２辺から垂直に延びて互いが対峙するように設けられる左右の側板とから構成され、ケース本体の台座面表面には左右の側板に平行な仕切が複数形成されるとともに、前記ケース本体の台座面は固定部材を取付けるため固定部材取付孔を備え、この固定部材取付孔に固定部材を嵌合することによって、物品を固定した固定部材が着脱自在にケース本体に取付けられ、また前記ケース本体の側板でカバー部材の側面を左右から挟み込んで把持することによって、カバー部材がケース本体に着脱自在に取付けられ、さらに前記ケース本体に取付けた平面形状が方形の枡形カバー部材は、４側面のうち１面に開口を形成してあり、このカバー部材をケース本体に取付けることによって１面が開口した筐体を形成し、この開口に蓋体を着脱自在に取付けたものである。
【０００６】
【発明の実施の形態】
本発明による梱包ケース１０Ａを図１乃至図６に説明する。
図１に示すように本発明による梱包ケース１０Ａは、ケース本体１とカバー部材２と蓋体３と固定部材４によって構成され、物品Ａを固定してある固定部材４を、概略コの字型のケース本体１の台座面１１に取付けることによってケース本体１に物品Ａを固定し、さらに平面形状が方形でかつ上下左右４側面のうち上面に開口２１を設けた枡形のカバー部材２をケース本体１に取付けることによって、内部に物品Ａを収納する上面が開口した筐体を形成し、この筐体の開口に蓋体３を取付けることによって開口を塞ぎ、物品Ａを収納する梱包ケースを形成するものである。
【０００７】
なお図１に示す梱包ケース１０Ａは吊下型梱包ケースであって、梱包ケース１０Ａを構成する蓋体３に設けた吊下部３１によって、吊下げて陳列される。
従って、蓋体３が取付けられる面が梱包ケースの上面となるように、上下左右４側面のうち上面が開口した枡形カバー部材２をケース本体１に取付け、上面が開口した筐体を形成する。
【０００８】
以下に、本発明による梱包ケース１０Ａを構成するケース本体１、カバー部材２、蓋体３、固定部材４について説明する。
本発明による梱包ケース１０Ａは、ケース本体１、カバー部材２、蓋体３、固定部材４をプラスチックなどの樹脂材料で成形することによって、ケースのなかに収納されている物品Ａを外部からの衝撃から保護するとともに、再利用可能な強度を確保する。またケースのなかの物品Ａをケース外側から確認できるように、カバー部材２を透明な樹脂材料によって形成することが好ましい。
【０００９】
梱包ケース１０Ａを構成するケース本体１を図２及び図３に示す。
図２は梱包ケース１０Ａを構成するケース本体１の斜視図であり、図３はケース本体１の台座面１１を裏側からみた平面図である。
図２に示すようにケース本体１は概略コの字型に成形され、方形の台座面１１と、該台座面１１周縁の対向する２辺から垂直に延びて互いが対峙するように設けられる左右の側板１２とから構成される。
前記台座面１１の表面には、製品Ａを固定する固定部材４が着脱自在に取付けられる。
【００１０】
またケース本体１の台座面１１の表面には側板１２と平行な仕切１３が複数設けられ、前記仕切１３と仕切１３の間にＣＤケースＢを配置できるようになっている。
すなわち梱包ケース１０Ａとして使用した後、ＣＤケース収納ラック１０Ｂ（図８参照）の構成部品としてケース本体１を再利用するときに、凸状に突出した仕切１３と仕切１３の間に、ケース本体１の側板１２と平行に配置したＣＤケースＢを一枚ずつ立掛けることができるようになっている。
【００１１】
なおケース本体１の台座面１１の表面に設けた仕切１３は、物品Ａを台座面１１に固定するのに邪魔にならないように配置されている。すなわち各仕切１３は、物品Ａを台座面１１に固定するのに邪魔にならないように凸状に突出した高さが調整されるとともに、固定部材４の取付けや、台座面１１に設けてある固定部材取付孔１４や装着具取付孔１５の配置に邪魔にならないように間欠して設けられている。
【００１２】
図３に示すようにケース本体１の台座面１１には、ケース本体１を梱包ケース１０Ａの構成部品として使用するときに、物品Ａを固定する固定部材４を台座面１１の表面に着脱自在に取付けるための固定部材取付孔１４が設けられ、またケース本体１を再利用し小物収納ケース１０Ｃ（図９参照）を構成する一部品として使用するときに、該ケースを車内エアコン送風口などに取付けるための装着具５を台座裏面に設けるための装着具取付孔１５が設けられている。
【００１３】
さらに、ケース本体１とカバー部材を組合せて形成される上面が開口した筐体の開口に蓋体３を取付けるための蓋体取付溝１８がケース本体１の台座面１１に設けられ、また前記開口に取付けた蓋体３を係止する係止部Ａ１９がケース本体１の台座面１１の裏面に設けられている。
【００１４】
梱包ケース１０Ａを構成する固定部材４について図４に説明する。
固定部材４は物品Ａをケース本体１の台座面１１に取付けるための部材であり、この実施例の固定部材４は車用バルブを固定する。
【００１５】
図４（ａ）に示すように、台座４１に設けた把持部４２が物品Ａを把持し、これによって物品Ａは固定部材４に固定される。
また図４（ｂ）に示すように、固定部材４は、把持部４２を設けた反対の面に固着部４３を有し、この固着部４３をケース本体１の台座面１１に設けられている固定部材取付孔１４に挿入し嵌合することによって、固定部材４がケース本体１の台座面１１の表面に着脱自在に取付けられる。
【００１６】
すなわち梱包ケース１０Ａを構成する部品としてケース本体１を使用する場合、物品Ａを固定した固定部材４をケース本体１の台座面１１に取付けることによって、ケース本体１の台座面１１の表面に物品Ａを固定する。
また該ケース本体１を梱包ケース１０Ａの構成部品として使用後、ＣＤケース収納ケース１０Ｂ又は小物収納ケース１０Ｃを構成する一部品として再利用する場合は、前記固定部材４をケース本体１から取外すことができる。
【００１７】
図５は梱包ケース１０Ａを構成するカバー部材２を説明するものである。
平面形状が方形である枡形のカバー部材２は、方形の正面と、その正面から延びる上下左右４側面から構成され、さらに該カバー部材２の１側面には大きく刳り貫かれた開口２１が形成してある。
このカバー部材２を、製品Ａを台座面１１に固定してあるケース本体１の側板１２と開口２１が対峙しないように取付けることによって、内部に物品Ａを収納し、かつ１面が開口した筐体を形成する。
【００１８】
すなわち、平面形状が方形である枡形のカバー部材２の正面とケース本体１の台座面１１を対峙させ、枡形のカバー部材２の先端縁部分をケース本体１の台座面１１の周縁に一致させるとともに、ケース本体１の蓋体取付溝１８にカバー部材２の開口２１が合致するようにカバー部材２を配置することによって、上面が開口した筐体を形成する。
なおケース本体１の側板１２がカバー部材２の側面を左右から挟み込んで把持し、カバー部材２がケース本体１に取付けられる。
【００１９】
本発明による梱包ケース１０Ａは、上述した筐体上面の開口２１に吊下部３１を備えた蓋体３を取付けることによって、吊下型の梱包ケースを形成するものである。
またケース本体１とカバー部材２を再利用して小物収納ケース１０Ｃを構成する場合は、筐体上面に形成される開口２１は小物を入れるための挿入口として利用される。
【００２０】
図６に梱包ケース１０Ａを構成する蓋体３を説明する。
蓋体３は、ケース本体１にカバー部材２を取付けることによって形成される筐体の上面に形成される開口２１を塞ぐものであって、梱包ケース１０Ａを吊下げるための吊下部３１と、嵌合部３２と、係止部Ｂ３３を有する。
【００２１】
筐体の上面に形成される開口２１と形状を同一に形成した蓋体３は、ケース本体１の蓋体取付溝１８から挿入され、開口２１と合致する。
また前記蓋体３は、開口２１との接触面周囲に嵌合部３２を備え、この嵌合部３２をカバー部材内側（筐体内側）に挿入するとともに、ケース本体１の裏面に設けた係止部Ａ１９と蓋体３の係止部３３を嵌め合わせることによって、開口２１に取付けた蓋体３が梱包ケース１０Ａの重量やその他の衝撃などによってはずれないようにしてある。
【００２２】
なお本発明による梱包ケース１０Ａでは、図５に示すように、ケース本体１の側板１２によって把持されるカバー部材２の左右側面の外側に凸部２２を設けるとともに、前記凸部２２に対向するケース本体１の側板１２内側にそれぞれ凹部１６を設け、これら凸部２２と凹部１６を嵌合することによって、ケース本体１とカバー部材２を組合せたときにケース本体１の側板１２が把持するカバー部材２が容易にはずれないようにすることが好ましい。
【００２３】
またこの実施例によれば、前記凹部１６と凸部２２を下方に配置し、さらにカバー部材２の左右側面の周縁上端部分に突出した係合部２３をそれぞれ設けるとともに、ケース本体１の台座面１１に前記係合部２３を嵌合するスリット１７（若しくは孔）を設けてある。
これによって、ケース本体１のスリット１７に嵌合した係合部２３を中心にカバー部材２を回転させ、ケース本体１に取付けたカバー部材２を扉開きすることができる。
【００２４】
図７は図１に示す梱包ケース１０Ａの他の実施例を示すものであって、本体ケースの側板１２に大孔を設けることによって、ケース内に収納されている物品Ａを側方からも確認できることができる。
なお、本体ケース１の台座面１１の表面に着脱自在の反射鏡シールを設けておくことによって、物品Ａの背面が前記反射鏡シールに写され、物品Ａの背面を確認することができる。
【００２５】
上記のような構成により、物品Ａを梱包して保護し、ケースのなかに収納した物品Ａをケース外側から容易に確認でき、またケースの陳列が容易である吊下型の梱包ケース１０Ａを提供することができる。
また上記の梱包ケース１０Ａは、物品Ａを取出して不要になったときには、各構成部品を分解し組み立てることによって、音楽用のコンパクトディスク（以下「ＣＤ」という）ケースなどを収納するためのＣＤケース収納ラック１０Ｂ（図８参照）や、携帯電話や眼鏡などの小物を収納するための小物収納ケース１０Ｃ（図９参照）として再利用することができる。
【００２６】
本発明による梱包ケース１０Ａを構成するケース本体１を再利用し、ＣＤケース収納ラック１０Ｂとして使用する場合の実施例を図８に示す。
ケース本体１とカバー部材２と蓋体３と固定部材４とから構成される梱包ケース１０Ａを使用した後、前記ケース本体１に取付けられているカバー部材２、蓋体３、固定部材４など全ての部材を該ケース本体１から取外し、このケース本体１の台座面１１を底面として設置することによって、ＣＤケースＢを立掛けておくＣＤケース収納ラック１０Ｂとして再利用することができる。
すなわちケース本体１の台座面１１の表面に設けた仕切１３によってＣＤケースＢを立掛けるＣＤケース収納ラック１０Ｂである。
なお、ＣＤケース収納ラック１０Ｂの底面（ケース本体１の台座面１１）の裏面に両面粘着テープを設けることによって、このＣＤケース収納ラック１０Ｂを設置面に固定することができる。
【００２７】
本発明による梱包ケース１０Ａを構成するケース本体１とカバー部材２を再利用し、小物収納ケース１０Ｃとして使用する場合の実施例を図９に示す。
図９に示す小物収納ケース１０Ｃはケース本体１とカバー部材２と、別途用意した装着具５によって構成される。
ケース本体１とカバー部材２と蓋体３と固定部材４とから構成される梱包ケース１０Ａを分解し、再びケース本体１とカバー部材２を組合せることによって、上面が開口した筐体を形成し、さらにケース本体１の台座面１１の裏面に装着具５を取付けて、携帯電話や眼鏡などの長尺状の小物Ｃを収納する小物収納ケース１０Ｃとして再利用するものである。
なお、前記ケース本体１の台座面１１には装着具取付孔１５が設けてある。
【００２８】
装着具５は装着部５１と固着部５２とから構成され、ケース本体１の装着具取付孔１５に固着部５２を挿入し嵌合することによって、ケース本体１の台座面１１の裏面に装着具５が着脱自在に取付けられる。またこの装着具５を取付けた小物収納ケース１０Ｃは、把持式の装着部５１によって、車内エアコンの送風口などに取付けられる。
なお吸盤式の装着部を備える装着具を使用することによって、小物収納ケース１０Ｃを車窓などの平面に取付けることもできる。
【００２９】
この実施例では、長尺型の装着具取付孔１５がケース本体の台座面１１に水平に設けられ、その中央に径大部１５Ａを形成したものであり、また装着具５の固着部５２が肥大部５２Ａと窄小部５２Ｂを備え、肥大部５２Ａがケース本体１の台座面１１と平行に一定間隔で複数形成され、その間に窄小部５２Ｂが形成され、これらの径の大小関係が、窄小部５２Ｂ＜装着具取付孔１５＜肥大部５２Ａ＜径大部１５Ａ、となるように形成したものである。
これによって、径大部１５Ａから挿入された固着具５２が装着具取付孔１５に嵌合され、ケース本体１の台座面１１の裏面に着脱自在に装着具５を取付けることができる。
【００３０】
【発明の効果】
以上、説明したように、本発明による梱包ケースはケース本体とカバー部材と蓋体と固定部材によって構成され、物品を固定してある固定部材を、概略コの字型のケース本体の台座面に取付けることによってケース本体に物品を固定し、さらに平面形状が方形でかつ上下左右４側面のうち上面に開口を形成した枡形のカバー部材をケース本体に取付けることによって、内部に物品を収納する筐体の上面に開口を形成し、この筐体の開口に蓋体を取付けることによって開口を塞ぎ、物品を収納する梱包ケースを形成するものであり、概略コの字型のケース本体の台座面にはＣＤケースを立掛けるための仕切が設けられており、またケース本体に取付けた各構成部品は着脱自在であって、各構成部品をそれぞれに分解することができる。
これによって、梱包ケースとして使用後に種々の形態で再利用され、梱包ケースの構成部品であるケース本体は、台座面を底面として設置することによってＣＤケース収納ラックとして再利用することができ、また梱包ケースの構成部品であるケース本体とカバー部品を組合せることによって小物収納ケースとして再利用することができる。
【図面の簡単な説明】
【図１】本発明による梱包ケースの斜視図。
【図２】本発明による梱包ケースを構成するケース本体の斜視図。
【図３】図２のケース本体の台座面を裏面からみた平面図。
【図４】本発明による梱包ケースを構成する固定部材の説明図。
【図５】本発明による梱包ケースを構成するカバー部材の斜視図。
【図６】本発明による梱包ケースを構成する蓋体の説明図。
【図７】本発明による梱包ケースの他の実施例を示す説明図。
【図８】本発明による梱包ケースをＣＤケース収納ラックとして再利用したときの説明図。
【図９】本発明による梱包ケースを小物収納ケースとして再利用したときの説明図。
【図１０】従来技術による梱包ケースの斜視図
【符号の説明】
１    ケース本体
２    カバー部材
３    蓋体
４    固定部材
５    装着具
【図１】
0004579389.tif 000002
【図２】
0004579389.tif 000003
【図３】
0004579389.tif 000004
【図４】
0004579389.tif 000005
【図５】
0004579389.tif 000006
【図６】
0004579389.tif 000007
【図７】
0004579389.tif 000008
【図８】
0004579389.tif 000009
【図９】
0004579389.tif 000010
【図１０】
0004579389.tif 000011